(57)【要約】【課題】装着しやすく、かつ、ヨレやズレなどの発生を防止することができる脇用汗取りシートを提供する。【解決手段】脇用汗取りシート１は、表面において汗を吸収するシート本体２と、シート本体２を衣服に貼り付けるためにシート本体２の裏面に設けられた粘着部５とを備えている。シート本体２の表面には、シート本体２を使用者の手の内面に保持させることが可能な保持手段４が設けられている。保持手段４は、シート本体２との間に少なくとも１本の指を挿入可能な空間を形成するようにシート本体２の表面に設けられたシート材からなるカバー４０により構成されている。カバー４０は、シート本体２の袖側領域２Ｂに配置されている。【選択図】図１
2015067920.tif 000002
【特許請求の範囲】
【請求項１】
表面において汗を吸収するシート本体と、前記シート本体を衣服に貼り付けるために前記シート本体の裏面に設けられた粘着部とを備えた脇用汗取りシートであって、
前記シート本体の表面には、前記シート本体を使用者の手の内面に保持させることが可能な保持手段が設けられている脇用汗取りシート。
【請求項２】
前記保持手段は、前記シート本体との間に少なくとも１本の指を挿入可能な空間を形成するように前記シート本体の表面に設けられたシート材からなるカバーにより構成されている請求項１に記載の脇用汗取りシート。
【請求項３】
前記シート本体は、袖側領域及び身頃側領域に分割されており、
前記カバーは、前記袖側領域に配置されている請求項２に記載の脇用汗取りシート。
【請求項４】
前記カバーは、前記袖側領域の全面を覆うように形成されている請求項３に記載の脇用汗取りシート。
【請求項５】
前記シート本体は、袖側領域及び身頃側領域に分割されており、
前記カバーは、前記袖側領域及び前記身頃側領域に跨るように配置されている請求項２に記載の脇用汗取りシート。
【請求項６】
前記保持手段は、前記シート本体の表面に設けられ、２本の指で挟むことが可能なシート材からなる取っ手により構成されている請求項１に記載の脇用汗取りシート。
【請求項７】
前記シート本体は、吸収層の表面を覆う保護層を有し、
前記カバー又は前記取っ手は、前記シート本体の前記保護層と同じ素材よりなる請求項２〜６のいずれかに記載の脇用汗取りシート。
【請求項８】
前記シート本体は、吸収層の表面を覆う保護層を有し、
前記保持手段は、前記保護層に形成され、前記保護層と前記吸収層との間に少なくとも１本の指を挿入可能なスリットにより構成されている請求項１に記載の脇用汗取りシート。
【請求項９】
表面において汗を吸収するシート本体と、前記シート本体を皮膚に貼り付けるために前記シート本体の表面に設けられた粘着部とを備えた脇用汗取りシートであって、
前記シート本体の裏面には、前記シート本体を使用者の手の内面に保持させることが可能な保持手段が設けられている脇用汗取りシート。
【発明の詳細な説明】
【技術分野】
【０００１】
本発明は、脇用汗取りシートに関するものである。
【背景技術】
【０００２】
衣服の汗染み防止や汗による不快感防止のため、脇などの汗をかきやすい場所に接触させて汗を吸収する汗取りシートが従来から使用されている。このような汗取りシートは、衣服に貼り付けて使用するタイプのものと、肌に貼り付けて使用するタイプのものがある。衣服に貼り付けて使用するタイプの汗取りシートは、汗を吸収する表面とは反対の裏面に粘着部が設けられており、シートの略中央位置を衣服の袖ぐり部に沿わせて折り曲げて身頃側と袖側とに跨がるように配置し、粘着部を介して衣服に貼り付けることで使用される（例えば、特許文献１を参照）。また、肌に貼り付けて使用するタイプの汗取りシートは、汗を吸収する表面に粘着部が設けられており、粘着部を介して脇に直接貼り付けることで使用される（例えば、特許文献２を参照）。
【先行技術文献】
【特許文献】
【０００３】
【特許文献１】特開２００９−１２１０００号公報
【特許文献２】特開２００７−０９２２５３号公報
【発明の概要】
【発明が解決しようとする課題】
【０００４】
しかしながら、特許文献１，２に記載の脇用汗取りシートを衣服や肌に貼り付ける際、片手で貼り付けようとすると、持ち手がないためにシートにヨレやズレなどが生じないように貼り付けるのが難しい。特に衣服に貼り付けるタイプのものは両手を用いる必要があったが、使用者が衣服を着用したままシートを衣服に貼り付ける場合には、片手でシートを貼り付ける必要があるため、装着し難いという問題があった。
【０００５】
本発明は、上記問題を解決するためになされたものであり、装着しやすく、かつ、ヨレやズレなどの発生を防止することができる脇用汗取りシートを提供することを目的とする。
【課題を解決するための手段】
【０００６】
本発明の上記目的は、表面において汗を吸収するシート本体と、前記シート本体を衣服に貼り付けるために前記シート本体の裏面に設けられた粘着部とを備えた脇用汗取りシートであって、前記シート本体の表面には、前記シート本体を使用者の手の内面に保持させることが可能な保持手段が設けられている脇用汗取りシートにより達成される。
【０００７】
上記構成の脇用汗取りシートにおいて、前記保持手段は、前記シート本体との間に少なくとも１本の指を挿入可能な空間を形成するように前記シート本体の表面に設けられたシート材からなるカバーにより構成されていることが好ましい。
【０００８】
さらに、前記シート本体は、袖側領域及び身頃側領域に分割されており、前記カバーは、前記袖側領域に配置されていることが好ましい。この場合には、前記カバーは、前記袖側領域の全面を覆うように形成されていることがさらに好ましい。
【０００９】
なお、前記カバーは、前記袖側領域及び前記身頃側領域に跨るように配置されていてもよい。
【００１０】
また、上記構成の脇用汗取りシートにおいて、前記保持手段は、前記シート本体の表面に設けられ、２本の指で挟むことが可能なシート材からなる取っ手により構成されていてもよい。
【００１１】
上記保持手段を構成するカバー及び取っ手は、吸収層の表面を覆う保護層を有する前記シート本体の前記保護層と同じ素材よりなることが好ましい。
【００１２】
また、上記構成の脇用汗取りシートにおいて、前記保持手段は、前記保護層に形成され、前記保護層と前記吸収層との間に少なくとも１本の指を挿入可能なスリットにより構成されていてもよい。また、前記保持手段は、その他、前記シート本体を使用者の手の内面に保持させることが可能なものであれば、突起状のものなど、種々の形状のものであってよい。
【００１３】
また、本発明の上記目的は、表面において汗を吸収するシート本体と、前記シート本体を皮膚に貼り付けるために前記シート本体の表面に設けられた粘着部とを備えた脇用汗取りシートであって、前記シート本体の裏面には、前記シート本体を使用者の手の内面に保持させることが可能な保持手段が設けられている脇用汗取りシートによっても達成される。
【発明の効果】
【００１４】
本発明の脇用汗取りシートによれば、シート本体に設けられた保持手段により、シート本体が使用者の手の内面に容易に保持されるので、シート本体を手の内面で支持しながら片手持ちすることができる。よって、衣服を着用したままであっても、シート本体を衣服の所望位置あるいは脇の下に容易にかつズレなく正確に貼り付けることができる。そのうえ、衣服に貼り付ける場合には、衣服に装着されたシート本体に折れやヨレ、しわなどの変形が生じることを抑制することができる。
【図面の簡単な説明】
【００１５】
【図１】本発明の一実施形態に係る脇用汗取りシートの平面図である。
【図２】図１のＡ−Ａ線に沿う断面図である。
【図３】図１の脇用汗取りシートの衣服への装着状態を示した説明図である。
【図４】図１の脇用汗取りシートを手の内面で保持した状態を示した平面図である。
【図５】カバーの変形例を示した脇用汗取りシートの平面図である。
【図６】カバーの変形例を示した脇用汗取りシートの平面図である。
【図７】保持手段の変形例を示した脇用汗取りシートの平面図である。
【図８】保持手段の変形例を示した脇用汗取りシートの平面図である。
【図９】本発明の他の実施形態に係る脇用汗取りシートの底面図である。
【図１０】図９のＡ−Ａ線に沿う断面図である。
【発明を実施するための形態】
【００１６】
以下、本発明の実施形態について添付図面を参照して説明する。図１は、本発明の一実施形態に係る脇用汗取りシート１の平面図であり、図２は、図１のＡ−Ａ線に沿う断面図である。
【００１７】
図１及び図２の脇用汗取りシート１は、衣服に貼り付けて使用するタイプのものであり、可撓性を有するシート本体２と、シート本体２の裏面に設けられた粘着部３とを備えている。シート本体２は、保護層２０及び防水シート２１の間に吸収層２２が挟持された構成のものであり、シート本体２の表面つまりは保護層２０には、シート本体２を使用者の手の内面に保持させることが可能な保持手段４が設けられている。なお、図１中の符号２６は、シート本体２の表面に形成された多数のエンボス凹部である。
【００１８】
吸収層２２は、吸水性を有するものであれば特に制限はなく、一般に生理用ナプキン、おしめ、汗取りシート及びおりものシートなどに用いられている、例えば吸水性パルプ、吸水性ポリマーなどの公知の吸収材や、織物、編物、不織布又はパルプ製品などから構成される繊維構造物を用いることができる。なかでも、風合い（肌触り）がよく、吸収性に優れ、かつ吸収層からの素材の脱落が少ない点から、天然繊維および合成繊維からなる集積体（例えば不織布）を用いることが好ましい。天然繊維としては、コットン、シルク、パルプ、羊毛、麻などがあげられる。このような天然繊維のなかでも、アレルギーなどの接触性皮膚炎が起こりにくく、かぶれにくく、かつ吸収性に優れる点から、（タンパク質系成分でない）コットンやパルプなどのセルロース系繊維が好ましい。また、合成繊維としては、ナイロン繊維、ポリエチレン繊維、ポリエステル繊維、ポリアミド繊維、アクリル繊維、ポリビニルアルコール繊維、ポリプロピレン繊維、ポリエチレンテレフタレート繊維、エチレン酢酸ビニル繊維、ウレタン繊維、アクリル繊維などが挙げられる。また、レーヨン繊維、アセテート繊維、キュプラなどの半合成繊維、及び各種繊維の混紡品、混繊品を使用することもできる。なかでも、ドライ感、風合い及びヒートシール性の点から、エチレン酢酸ビニル繊維、ポリプロピレン繊維、ポリエチレン繊維、ポリエステル繊維、ポリエチレンテレフタレート繊維などの合成繊維又はそれらの複合繊維が好ましい。複合繊維としては、ポリエチレン／ポリエステル（ポリエチレンテレフタレートを含む）複合繊維、ポリエチレン／ポリプロピレン複合繊維、エチレン酢酸ビニル／ポリプロピレン複合繊維などが挙げられる。これらは、１種単独で使用してもよく、２種以上を組み合わせて使用してもよい。２種以上の組み合わせの例としては、セルロース系繊維と複合繊維の組み合わせなどが挙げられ、その配合割合は、例えば４：６〜８：２とすることができる。
【００１９】
吸収層２２を構成する前記集積体の目付けは、保水量と皮膚への違和感とのバランスの点から、２０〜１５０ｇ／ｍ２に設定するのが好ましく、より好ましくは４０〜１２０ｇ／ｍ２、さらに好ましくは５０〜１００ｇ／ｍ２である。吸収層２２の厚みとしては、上記機能を奏するよう０．５〜４０ｍｍとされるのが望ましい。
【００２０】
保護層２０は、肌にやわらかく接触し、かつ柔軟な吸収層２２を保護する役割を果たす。このような保護層２０としては、織物、編物、不織布又はパルプ製品などから構成されるシート状又はフィルム状の繊維構造物を挙げることができる。なかでも、風合い（肌触り）や皮膚への刺激性、吸収性の点から不織布が好ましい。かかる繊維構造物を構成する繊維としては、天然繊維及び合成繊維が挙げられ、これらを単独で、又は組み合わせて所望の性質を有する繊維構造物として使用することができる。天然繊維及び合成繊維としては、吸収層２２の原料として用いるものと同一の繊維が挙げられる。
【００２１】
不織布は、湿式抄紙法、乾式抄紙法、スパンボンド法、メルトブロー法、ラテックス樹脂ボンド法、溶剤ボンド法、スティッチボンド法、ニードルパンチ法、スパンレース法、サーマルボンド法、エアースルー法、エアレイド法などの方法により製造することができる。なかでもスパンレース法、サーマルボンド法、エアースルー法、エアレイド法、ニードルパンチ法、スパンボンド法などの方法が好ましく、これらの方法では風合いがよくかつ、接着剤、溶剤を用いないため、肌への安全性を高くすることができる。
【００２２】
保護層２０に用いられる前記繊維構造物の目付けは、汗の透過性と皮膚への違和感の軽減とのバランスの点から、１０〜６０ｇ／ｍ２に設定することが好ましく、より好ましくは１０〜５０ｇ／ｍ２、さらに好ましくは１０〜３０ｇ／ｍ２である。保護層２０の厚みとしては、上記機能を奏するよう０．１〜２０ｍｍとされるのが望ましい。
【００２３】
保護層２０と吸収層２２とを貼り合わせる方法は特に限定されないが、水溶性の接着剤（例えば、アクリル系水溶性接着剤）や非水溶性接着剤（例えば、ゴム系ホットメルト、オレフィン系ホットメルト）などの接着剤により接着することができる。
【００２４】
防水シート２１は、吸収層２２に吸収された汗の外部への流出を防止するものである。防水シート２１の材質は、ポリエチレンを用いることが好ましいが、必要に応じて適当な材質、例えば、ポリエステル、ポリビニルアルコール、ポリプロピレン、ナイロン、セロファン、ビニロン、塩化ビニルなどを用いることもできる。また、これらの材質に炭酸カルシウム粉末などの無機物を混練した後に２軸延伸すると、汗は透過させずに水蒸気（空気）は透過させることができるので、ムレなどによる不快感を軽減させることができ、また、炭酸カルシウムなどの無機物を用いない場合において１軸延伸すると、多量の汗をかいた場合でも衣服への汗じみを確実に防ぐことができるので、それぞれ、使用状況に応じて使い分けることが好ましい。また、ＳＭＳなどの液不透過性の不織布を用いることもできる。
【００２５】
防水シート２１の目付けは、吸収層２２に吸収された汗の外部への流出を防止すること、及び、脇用汗取りシート１全体の柔軟性を損なわないことのバランスの点から、２ｇ／ｍ２〜５０ｇ／ｍ２に設定することが好ましく、より好ましくは１０ｇ／ｍ２〜５０ｇ／ｍ２、さらに好ましくは２０ｇ／ｍ２〜４０ｇ／ｍ２である。防水シート２１の厚みとしては、吸収した汗を透過させず、かつ装着時に違和感を覚えにくいという点から、１０μｍ〜７０μｍに設定することが好ましい。
【００２６】
シート本体２は、必ずしも上記した構成に限定されず、例えば、吸収層２２と保護層２０との間、及び、吸収層２２と防水シート２１との間における一方又は双方に、消臭剤を含む層を介在させてもよい。また、シート本体２は、吸収層２２を備えていればよく、保護層２０及び防水シート２１の一方又は双方を設けずに構成することも可能である。
【００２７】
粘着部３に用いられる粘着剤は、衣服などに貼ることができるものであれば特に限定されないが、例えば、水溶性の接着剤（例えばアクリル系水溶性接着剤）や非水溶性接着剤（例えばゴム系ホットメルト、オレフィン系ホットメルト）などの接着剤が挙げられる。なかでも、その他の粘着剤に比べて衣服に対する接着力に優れる点から非水溶性接着剤が好ましく、ゴム系ホットメルトがより好ましい。ゴム系ホットメルトを使用すると、接着部位になじみやすいので、衣服の伸びを拘束することがない(突っ張り感を軽減できる)。粘着部３は、シート本体２の裏面に、間隔をあけて複数設けられていてもよいし、シート本体２の裏面を覆うように設けられていてもよい。
【００２８】
シート本体２の裏面には、衣服への装着時まで粘着部３を保護し、装着時に粘着部３から剥離可能な剥離シート５が貼り付けられている。剥離シート５は、プラスチックフィルム、繊維製シート、紙などに剥離剤を塗布することで形成され、剥離剤側が粘着部３に貼着されている。
【００２９】
シート本体２は、本実施形態では、滑らかな曲線状に形成された外周縁を有するとともに、外周縁に左右一対のくびれ部２３が設けられており、両くびれ部２３を結ぶ直線状の溝部２４を境にして上下２つの領域２Ａ，２Ｂに分けられている。この溝部２４が、図３に示すように、シート本体２を衣服に貼り付ける際の袖ぐり部Ｔの位置となり、領域２Ａが衣服の身頃側Ｔ１に、領域２Ｂが衣服の袖側Ｔ２に、それぞれ貼り合わされる（以下、「領域２Ａ」を「身頃側領域２Ａ」といい、「領域２Ｂ」を「袖側領域２Ｂ」という。）。身頃側領域２Ａは、袖側領域２Ｂよりも面積が大きく形成されており、脇の発汗位置に適切に対応可能となっている。なお、本実施形態においては、袖側領域２Ｂと身頃側領域２Ａとは、両くびれ部２３を結ぶ直線状の溝部２４によって分割されているが、その境界は、装着時に曲げ変形を与えた際に自然に折れ曲がる部分など、必ずしも外観上明瞭である必要はなく、それぞれ袖側および身頃側に装着することを意図した領域をいう。また、溝部２４の両側には、溝部２４から離れる側に凸をなす弧状の屈曲ライン２５Ａ，２５Ｂが形成されている。この屈曲ライン２５Ａ，２５Ｂでシート本体２の折り曲げが容易となっている。
【００３０】
保持手段４は、図１に示すように、本実施形態では、シート材からなるカバー４０で構成されている。カバー４０は帯状のシート材からなり、カバー４０の左右の端部がシート本体２の保護層２０に接着などで取り付けられている。カバー４０とシート本体２との間には、使用者の指を少なくとも１本挿入することが可能な大きさの空間が形成されており、図４に示すように、カバー４０とシート本体２との間の空間に指ｆを挿入することで、シート本体２を使用者の手Ｈの内面に容易に保持させることができる。よって、シート本体２を衣服に装着する際にシート本体２を片方の手Ｈで持つことが可能となるので、衣服を着用したままであっても、シート本体２を衣服に容易にかつ所望位置にズレなく正確に貼り付けることが可能となる。また、シート本体２のほぼ全体が手Ｈの内面により支持されるので、シート本体２の装着時にシート本体２に折れやズレ、しわなどの変形が発生することを抑制できる。
【００３１】
カバー４０は、本実施形態では、シート本体２の袖側領域２Ｂに配置されている。これにより、カバー４０とシート本体２との間に指ｆを挿入すると、シート本体２の袖側領域２Ｂが挿入された指ｆの内面によってしっかりと支持される。シート本体２の袖側領域２Ｂは、衣服の袖ぐり部よりも奥の袖側に配置され、衣服内部の奥の方まで挿入する必要があるため、特に、衣服を着用したままシート本体２を装着しようとする際には、シート本体２の袖側領域２Ｂを変形させることなく衣服の袖側に貼り付けるのは難しい。しかし、本実施形態では、シート本体２の袖側領域２Ｂがカバー４０及びシート本体２の間に挿入された指ｆの内面によってしっかりと支持されているので、シート本体２の装着時に、袖側領域２Ｂに折れやヨレ、しわなどの変形が生じることを効果的に抑制できる。また、シート本体２の袖側領域２Ｂは、衣服の袖側に貼り付けられる際に折り曲げられるが、シート本体２の袖側領域２Ｂにカバー４０が配置されていることで、袖側領域２Ｂを指ｆで折り曲げやすくなっている。よって、シート本体２の衣服への装着をさらに容易とすることが可能になっている。
【００３２】
さらに、シート本体２の袖側領域２Ｂが貼り付けられる衣服の袖側は、腕の動きに追随して様々な変形をする箇所であるため、この衣服の変形に伴って袖側領域２Ｂに折れやヨレ、しわなどの変形が生じるおそれがある。これに対して、本実施形態では、シート本体２の装着後も、袖側領域２Ｂにカバー４０が重ねられていることで、その分、袖側領域２Ｂの剛性が高められている。よって、上記したシート本体２の装着後の衣服の変形に対して袖側領域２Ｂが変形しにくくなっており、シート本体２の装着後においても、袖側領域２Ｂに折れやヨレ、しわなどの変形が生じることを効果的に抑制可能となっている。
【００３３】
カバー４０がシート本体２の袖側領域２Ｂに配置されている本実施形態においては、カバー４０は、図５に示すように、袖側領域２Ｂの全面を覆うように形成されていることが好ましい。これにより、袖側領域２Ｂの全面において剛性が高められるので、シート本体２の装着後の袖側領域２Ｂに折れやヨレ、しわなどの変形が生じることをさらに抑制できる。また、袖側領域２Ｂの全面がカバー４０で覆われていると、シート本体２の装着後、袖側領域２Ｂについてはカバー４０だけが使用者の脇の下に接触してシート本体２は脇の下に直接接触しない。よって、袖側領域２Ｂの一部だけがカバー４０で覆われている場合のようにカバー４０及びシート本体２の双方が脇の下に接触しないため、使用者にほとんど違和感を与えることがなく、装着感をさらに向上させることができる。
【００３４】
なお、「袖側領域２Ｂの全面を覆う」とは袖側領域２Ｂの全面を完全に覆っている必要はなく、一部欠けたところや足りないところがあってもよい。また、カバー４０は、シート本体２の袖側領域２Ｂ及び身頃側領域２Ａの境界となる溝部２４に沿った直線状の側縁４１以外の外周縁の全てがシート本体２の保護層２０に接着されている必要はなく、袖側領域２Ｂの先端部付近の外周縁の一部４２は接着することなく、シート本体２との間に指を突き出すことのできる空間を設けることが好ましい。これにより、指をカバー４０の奥まで挿入できるので、シート本体２を手の内面に保持しやすくなり、シート本体２の保持状態を安定させることができる。
【００３５】
カバー４０を構成するシート材としては、肌にやわらかく接触し、かつ汗の透過性を有していればよく、例えばシート本体２の保護層２０と同じ素材で形成することができる。
【００３６】
上記構成の脇用汗取りシート１によれば、シート本体２の表面に設けられたカバー４０（保持手段４）により、シート本体２が使用者の手の内面に容易に保持されるので、シート本体２を手の内面で支持しながら片手持ちすることができる。よって、衣服を着用したままであっても、シート本体２を衣服の所望位置に容易にかつズレなく正確に貼り付けることができるうえ、衣服に装着されたシート本体２に折れやヨレ、しわなどの変形が生じることを抑制することができる。
【００３７】
また、カバー４０（保持手段４）が、シート本体２と同様にシート材で形成されているので、カバー４０（保持手段４）がシート本体２の表面に設けられていても、シート本体２の装着後に使用者に与える違和感を低減できる。また、カバー４０（保持手段４）を、シート本体２の保護層２０と同素材のシート材で形成すれば、シート本体２の装着後の違和感をさらに低減できる。
【００３８】
また、カバー４０（保持手段４）が、シート本体２の袖側領域２Ｂに配置されているので、シート本体２の袖側領域２Ｂを、カバー４０及びシート本体２の間に挿入された指の内面によってしっかりと支持することができる。よって、シート本体２の袖側領域２Ｂを衣服の袖ぐり部よりも奥の袖側まで挿入する際に、袖側領域２Ｂに折れやヨレ、しわなどの変形が生じることを効果的に抑制できるうえ、袖側領域２Ｂが指により折り曲がりやすくなっているので、袖側領域２Ｂを折り曲げて衣服の袖側に貼り付けやすく、シート本体２の衣服への装着をさらに容易にすることができる。加えて、シート本体２の装着後は、袖側領域２Ｂは、カバー４０が重ねられていることで剛性が高められているので、衣服の変形に対して袖側領域２Ｂは変形しにくくなっている。よって、シート本体２の装着後においても、袖側領域２Ｂに折れやヨレ、しわなどの変形が生じることを抑制できる。
【００３９】
以上、本発明の一実施形態について説明したが、本発明は上記実施形態に限定されるものではなく、その趣旨を逸脱しない限りにおいて、種々の変更が可能である。例えば、上記実施形態では、カバー４０は、シート本体２の袖側領域２Ｂに配置されているが、これに限らず、例えば図６に示すように、シート本体２の袖側領域２Ｂ及び身頃側領域２Ａに跨るように配置されていてもよい。この実施形態においても、カバー４０とシート本体２との間の空間に指を挿入することで、シート本体２を使用者の手の内面に容易に保持させることができるので、シート本体２を手の内面で支持しながら片手持ちできる。よって、衣服を着用したままであっても、シート本体２を衣服に装着しやすく、かつ、装着後のシート本体２にヨレやズレなどが発生するのを抑制できる。また、カバー４０に対して指を奥まで挿入できるので、シート本体２を手の内面に保持しやすく、シート本体２の保持状態を安定させることができる。さらには、身頃側領域２Ａから袖側領域２Ｂに向かう方向、又は袖側領域２Ｂから身頃側領域２Ａに向かう方向の両方向から指を挿入することができるので、衣服の身頃側から袖側に向けて装着する場合及び袖側から身頃側に向けて装着する場合のいずれの使用態様にも対応することができ、利便性が向上する。
【００４０】
また、上記実施形態では、保持手段４がカバー４０により構成されているが、これに限られず、例えば図７に示すように、シート本体２の表面に、シート本体２に対して垂直に延びるように設けられたシート材からなる取っ手４３により構成されていてもよい。この取っ手４３を２本の指で挟むことで、シート本体２を使用者の手の内面に保持させることができ、シート本体２を片手持ちできる。よって、衣服を着用したままであっても、シート本体２を衣服の所望位置に容易にかつ正確に装着することができる。取っ手４３を構成するシート材としては、肌にやわらかく接触し、かつ汗の透過性を有していればよく、例えばシート本体２の保護層２０と同じ素材で形成することができる。取っ手４３は、シート本体２の袖側領域２Ｂの先端部側に設けられていれば、シート本体２を衣服に装着する際にシート本体２のほぼ全体を手の内面により支持することができるので好ましい。なお、取っ手４３は、２本の指で挟まれない平常時は、シート本体２の表面（保護層２０）に折り畳まれている。
【００４１】
また、保持手段４は、例えば図８に示すように、シート本体２の表面つまりは保護層２０に形成されたスリット４４により構成されていてもよい。このスリット４４は、使用者の少なくとも１本の指が挿入可能な大きさに形成されている。そして、指の挿入部分に相当する範囲においては表面層２０と吸収層２２とが接着されていないので、スリット４４を介して指を保護層２０と吸収層２２との間に挿入可能である。スリット４４に指を挿入することにより、シート本体２を使用者の手の内面に容易に保持させることができ、シート本体２を片手持ちできる。よって、衣服を着用したままであっても、シート本体２を衣服の所望位置に容易にかつ正確に装着することができる。さらに、保持手段４がスリット４４で構成されているので、シート本体２の表面がフラットな状態となり、装着時において使用者にほとんど違和感を与えることがない。なお、スリット４４は、シート本体２の袖側領域２Ｂの先端部側に設けられていれば、シート本体２を衣服に装着する際にシート本体２のほぼ全体を手の内面により支持することができるので好ましい。また、スリット４４は袖側領域２Ｂの先端部側に加えて、身頃側領域２Ａにも設けられていてもよい。その場合、一方のスリットに挿入された指が他方のスリットを介して外方に露出できるように構成することによって、シート本体２をよりしっかりと支持することができるので、使い勝手がさらによくなる。
【００４２】
なお、保持手段４は、その他、シート本体２を使用者の手の内面に保持させることが可能なものであれば、突起状のものなど、種々の形態のものであってよい。
【００４３】
また、上記実施形態では、シート本体２の外形が、略ひょうたん状に形成されているが、正方形状、長方形状、円形状、略楕円形状など、衣服に貼り付けることが可能な種々の形状とすることができる。また、上記実施形態では、シート本体２の身頃側領域２Ａの面積を袖側領域２Ｂの面積より大きくしているが、同じ面積にすることも可能である。また、シート本体２に必ずしもくびれ部２３を設けるも必要ない。
【００４４】
また、上記実施形態では、衣服に貼り付けて使用するタイプの脇用汗取りシート１について説明したが、肌に直接貼り付けて使用するタイプの脇用汗取りシートについても、保持手段４を設けることができる。肌に直接貼り付けて使用するタイプの脇用汗取りシート１´は、図９及び図１０に示すように、可撓性を有し、汗を吸収するシート本体２と、シート本体２の表面つまりは皮膚と接触させる面に設けられた粘着部３とを備えている。シート本体２の表面は、剥離シート５で覆われており、脇用汗取りシート１´の使用時に剥離シート５を剥離することにより粘着部３が露出する。なお、この実施形態の脇用汗取りシート１´の基本的な構成は、上記実施形態の脇用汗取りシート１の構成と同様であり、ここでは対応する構成に同一の符号を付することで詳細な説明を省略する。
【００４５】
この実施形態の脇用汗取りシート１´では、シート本体２の表面とは反対側の裏面に保持手段４が設けられている。保持手段４の形態は、上記実施形態の脇用汗取りシート１と同様に、シート本体２を使用者の手の内面に保持させることが可能なものであれば種々の形態であってよく、図１，５，６に示すようなシート材からなるカバー４０や図７に示すようなシート材からなる取っ手４３により保持手段４を構成することができる。また、図８に示すようなシート本体２の裏面に形成されたスリット４４により保持手段４を構成することもできる。このシート本体２に設けられた保持手段４により、シート本体２が使用者の手の内面に保持されるので、シート本体２を手の内面で支持しながら片手持ちすることができる。よって、この実施形態の脇用汗取りシート１´においても、シート本体２を脇の下に容易にかつズレなく正確に貼り付けることができる。
【００４６】
なお、図９及び図１０の例では、シート本体２は、吸収層２２のみで構成されているが、吸収層２２の裏面に保護層２０を設けるように構成してもよい。この場合には、表面層２０に保持手段４が設けられる。また、吸収層２２の表面に保護層２０を設けるように構成してもよい。この場合には、表面層２０の表面に粘着部３が設けられ、吸収層２２の裏面に保持手段４が設けられる。吸収層２２の裏面に防水シート２１を設けるように構成してもよい。この場合には、防水シート２１に保持手段４が設けられる。
【００４７】
また、図９及び図１０の例では、シート本体２の形状は、楕円形状であるが、円形状、長方形状、正方形状、ひょうたん状、三角形状など、種々の形状にすることができる。また、粘着部３は、ドット状に配置されているが、粘着部３の形状や配置については特に限定されない。
【符号の説明】
【００４８】
１，１´    脇用汗取りシート
２    シート本体
２Ａ  身頃側領域
２Ｂ  袖側領域
３    粘着部
４    保持手段
２０  保護層
２２  吸収層
４０  カバー
４３  取っ手
４４  スリット
【図１】
2015067920.tif 000003
【図２】
2015067920.tif 000004
【図３】
2015067920.tif 000005
【図４】
2015067920.tif 000006
【図５】
2015067920.tif 000007
【図６】
2015067920.tif 000008
【図７】
2015067920.tif 000009
【図８】
2015067920.tif 000010
【図９】
2015067920.tif 000011
【図１０】
2015067920.tif 000012